(57)【特許請求の範囲】
【請求項１】
時分割復信を実施する場合、第１の局部発振信号又は第２の局部発振信号を送信用局部発振信号として出力するとともに、上記送信用局部発振信号と同一の局部発振信号を受信用局部発振信号として出力し、周波数分割復信を実施する場合、上記第２の局部発振信号の成分より第１の局部発振信号の成分の方が大きい信号を送信用局部発振信号として出力するとともに、上記第２の局部発振信号を受信用局部発振信号として出力する局部発振信号切替回路と、上記局部発振信号切替回路から出力された送信用局部発振信号を２以上の分周数で分周する周波数分周器と、上記周波数分周器により分周された送信用局部発振信号を用いて、ベースバンド信号を高周波送信信号に変調する変調器と、上記局部発振信号切替回路から出力された受信用局部発振信号を用いて、高周波受信信号からベースバンド信号を復調する復調器とを備えた送受信機。
【請求項２】
時分割復信を実施する場合、第１の局部発振信号又は第２の局部発振信号を送信用局部発振信号として出力するとともに、上記送信用局部発振信号と同一の局部発振信号を受信用局部発振信号として出力し、周波数分割復信を実施する場合、上記第２の局部発振信号の成分より第１の局部発振信号の成分の方が大きい信号を送信用局部発振信号として出力するとともに、上記第２の局部発振信号を受信用局部発振信号として出力する局部発振信号切替回路と、上記局部発振信号切替回路から出力された送信用局部発振信号を２以上の分周数で分周して、上記送信用局部発振信号を９０度の位相差を有する信号に変換する周波数分周型９０度分配器と、上記周波数分周型９０度分配器により変換された９０度の位相差を有する信号を用いて、９０度の位相差を有するベースバンド信号を高周波送信信号に直交変調する直交変調器と、上記局部発振信号切替回路から出力された受信用局部発振信号を９０度の位相差を有する信号に変換する９０度分配器と、上記９０度分配器により変換された９０度の位相差を有する信号を用いて、高周波受信信号から９０度の位相差を有するベースバンド信号を直交復調する直交復調器とを備えた送受信機。
【発明の詳細な説明】
【技術分野】
【０００１】
この発明は、例えば、衛星通信、地上波マイクロ波通信、移動体通信などに使用される送受信機に関するものである。
【背景技術】
【０００２】
例えば、以下の非特許文献１に開示されている送受信機は、送信用局部発振信号を用いて、ベースバンド信号を高周波送信信号に直交変調する直交変調器と、受信用局部発振信号を用いて、高周波受信信号からベースバンド信号を直交復調する直交復調器とを実装している。
【０００３】
送受信機が時分割復信を実施する場合、局部発振信号切替回路が、ＶＣＯや高周波ＰＬＬからなる局部発振信号生成装置により生成された局部発振信号を送信用局部発振信号として直交変調器に出力し、また、その局部発振信号を受信用局部発振信号として直交復調器に出力する。
一方、送受信機が周波数分割復信を実施する場合、局部発振信号切替回路が、局部発振信号生成装置により生成された局部発振信号を送信用局部発振信号として直交変調器に出力し、その局部発振信号と異なる局部発振信号を受信用局部発振信号として直交復調器に出力する。
【０００４】
【非特許文献１】ＩＳＳＣＣ２００７  “Ａ  Ｄｕａｌ−Ｂａｎｄ  ＣＭＯＳ  Ｔｒａｎｓｃｅｉｖｅｒ  ｆｏｒ  ３Ｇ  ＴＤ−ＳＣＤＭＡ”
【発明の開示】
【発明が解決しようとする課題】
【０００５】
従来の送受信機は以上のように構成されているので、周波数分割復信を実施する場合、受信用局部発振信号が送信用局部発振信号の経路を通じて送信用の直交変調器に漏洩することがある。受信用局部発振信号が送信用の直交変調器に漏洩すると、その受信用局部発振信号が送信用局部発振信号に混合し、その直交変調器が、受信用局部発振信号が混合している送信用局部発振信号を用いて、ベースバンド信号を高周波送信信号に直交変調することになる。そのため、高周波信号の受信側では、受信用局部発振信号を用いて、高周波受信信号からベースバンド信号を直交復調しても、ベースバンド信号を正確に復調することができず、受信特性が劣化してしまうことがある課題があった。
【０００６】
この発明は上記のような課題を解決するためになされたもので、周波数分割復信を実施する場合でも、送信用の直交変調器への受信用局部発振信号の漏洩を抑圧して、受信特性の劣化を防止することができる送受信機を得ることを目的とする。
【課題を解決するための手段】
【０００７】
この発明に係る送受信機は、時分割復信を実施する場合、第１の局部発振信号又は第２の局部発振信号を送信用局部発振信号として出力するとともに、送信用局部発振信号と同一の局部発振信号を受信用局部発振信号として出力し、周波数分割復信を実施する場合、第２の局部発振信号の成分より第１の局部発振信号の成分の方が大きい信号を送信用局部発振信号として出力するとともに、第２の局部発振信号を受信用局部発振信号として出力する局部発振信号切替回路と、局部発振信号切替回路から出力された送信用局部発振信号を２以上の分周数で分周する周波数分周器と、周波数分周器により分周された送信用局部発振信号を用いて、ベースバンド信号を高周波送信信号に変調する変調器と、局部発振信号切替回路から出力された受信用局部発振信号を用いて、高周波受信信号からベースバンド信号を復調する復調器とを備えたものである。
【発明の効果】
【０００８】
この発明によれば、第１の局部発振信号の周波数を２以上の分周数で分周する周波数分周器と、周波数分割復信を実施する場合、周波数分周器により分周された第１の局部発振信号を送信用局部発振信号として出力するとともに、第２の局部発振信号を受信用局部発振信号として出力する局部発振信号切替回路とを設け、変調器が局部発振信号切替回路から出力された送信用局部発振信号を用いて、ベースバンド信号を高周波送信信号に変調し、復調器が局部発振信号切替回路から出力された受信用局部発振信号を用いて、高周波受信信号からベースバンド信号を復調するように構成したので、周波数分割復信を実施する場合でも、送信用の変調器への受信用局部発振信号の漏洩を抑圧して、受信特性の劣化を防止することができる効果がある。
【発明を実施するための最良の形態】
【０００９】
実施の形態１．
図１はこの発明の実施の形態１による送受信機を示す構成図である。
図において、局部発振信号入力端子１は周波数ｆAの局部発振信号Ａ（第１の局部発振信号）を入力する端子である。
局部発振信号入力端子２は周波数ｆBの局部発振信号Ｂ（第２の局部発振信号）を入力する端子である。
周波数分周器３は局部発振信号入力端子１から入力された局部発振信号Ａの周波数をＮ分周し、Ｎ分周後の局部発振信号Ａ’を局部発振信号切替回路４に出力する。ただし、Ｎは分周数であり、Ｎは２以上の値である。
【００１０】
局部発振信号切替回路４は時分割復信を実施する場合、周波数分周器３によりＮ分周された局部発振信号Ａ’（または、局部発振信号Ｂ）を送信用局部発振信号として９０度分配器５に出力するとともに、その送信用局部発振信号と同一の局部発振信号Ａ’（または、局部発振信号Ｂ）を受信用局部発振信号として９０度分配器６に出力する。また、周波数分割復信を実施する場合、周波数分周器３によりＮ分周された局部発振信号Ａ’を送信用局部発振信号として９０度分配器５に出力するとともに、局部発振信号Ｂを受信用局部発振信号として９０度分配器６に出力する。
【００１１】
９０度分配器５は局部発振信号切替回路４から出力された送信用局部発振信号を９０度の位相差を有する信号（９０度位相差送信用局部発振信号）に変換し、その９０度位相差送信用局部発振信号を直交変調器８に出力する。なお、９０度分配器５は第１の９０度分配器を構成している。
９０度分配器６は局部発振信号切替回路４から出力された受信用局部発振信号を９０度の位相差を有する信号（９０度位相差受信用局部発振信号）に変換し、その９０度位相差受信用局部発振信号を直交復調器１１に出力する。なお、９０度分配器６は第２の９０度分配器を構成している。
【００１２】
ベースバンド信号入力端子７ａ，７ｂは相互に９０度の位相差を有するベースバンド信号を入力する端子である。
直交変調器８は９０度分配器５から出力された９０度位相差送信用局部発振信号を用いて、９０度の位相差を有するベースバンド信号を高周波送信信号に直交変調する。
高周波送信信号出力端子９は直交変調器８により直交変調された高周波送信信号を出力する端子である。
【００１３】
高周波受信信号入力端子１０は高周波受信信号を入力する端子である。
直交復調器１１は９０度分配器６から出力された９０度位相差受信用局部発振信号を用いて、高周波受信信号から９０度の位相差を有するベースバンド信号を直交復調する。
ベースバンド信号出力端子１２ａ，１２ｂは相互に９０度の位相差を有するベースバンド信号を出力する端子である。
【００１４】
次に動作について説明する。
最初に、送受信機が時分割復信を実施する場合について説明する。
周波数分周器３は、局部発振信号入力端子１から周波数ｆAの局部発振信号Ａが入力されると、その局部発振信号Ａの周波数をＮ分周し、Ｎ分周後の局部発振信号Ａ’を局部発振信号切替回路４に出力する。ただし、Ｎは分周数であり、Ｎは２以上の値である。
【００１５】
ここで、局部発振信号入力端子１から周波数分周器３へ入力される局部発振信号Ａの信号強度と比べて、局部発振信号入力端子２から周波数分周器３へ入力される周波数ｆBの局部発振信号Ｂの信号強度が小さい場合、周波数分周器３から出力されるＮ分周後の局部発振信号Ａ’の周波数ｆOは、以下の式（１）で表される。
ｆO＝（ｆA／Ｎ）＋ｎ（ｆA−ｆB）                          （１）
ただし、ｎは０を含む任意の整数である。
このとき、分周数Ｎが２以上であれば、ｆO≠ｆBとなり、周波数分周器３から周波数ｆBの成分の信号が出力されることはない。
【００１６】
局部発振信号切替回路４は、周波数分周器３からＮ分周後の局部発振信号Ａ’を受けると、その局部発振信号Ａ’を送信用局部発振信号として９０度分配器５に出力するとともに、その局部発振信号Ａ’を受信用局部発振信号として９０度分配器６に出力する。
なお、局部発振信号切替回路４は、局部発振信号Ｂを送信用局部発振信号として９０度分配器５に出力するようにしてもよく、この場合には、その局部発振信号Ｂを受信用局部発振信号として９０度分配器６に出力するようにする。
【００１７】
９０度分配器５は、局部発振信号切替回路４から送信用局部発振信号を受けると、その送信用局部発振信号を９０度の位相差を有する信号（９０度位相差送信用局部発振信号）に変換し、その９０度位相差送信用局部発振信号を直交変調器８に出力する。
９０度分配器６は、局部発振信号切替回路４から受信用局部発振信号を受けると、その受信用局部発振信号を９０度の位相差を有する信号（９０度位相差受信用局部発振信号）に変換し、その９０度位相差受信用局部発振信号を直交復調器１１に出力する。
【００１８】
直交変調器８は、９０度分配器５から９０度位相差送信用局部発振信号を受けると、その９０度位相差送信用局部発振信号を用いて、ベースバンド信号入力端子７ａ，７ｂから入力された９０度の位相差を有するベースバンド信号を高周波送信信号に直交変調し、その高周波送信信号を高周波送信信号出力端子９に出力する。
直交復調器１１は、９０度分配器６から９０度位相差受信用局部発振信号を受けると、その９０度位相差受信用局部発振信号を用いて、高周波受信信号入力端子１０より入力された高周波受信信号から９０度の位相差を有するベースバンド信号を直交復調し、９０度の位相差を有するベースバンド信号をベースバンド信号出力端子１２ａ，１２ｂに出力する。
【００１９】
次に、周波数分割復信を実施する場合について説明する。
周波数分周器３は、局部発振信号入力端子１から周波数ｆAの局部発振信号Ａが入力されると、時分割復信を実施する場合と同様に、その局部発振信号Ａの周波数をＮ分周し、Ｎ分周後の局部発振信号Ａ’を局部発振信号切替回路４に出力する。
なお、上述したように、周波数分周器３から出力される信号には、分周数Ｎが２以上であるため、周波数ｆBの信号が含まれていない。
【００２０】
局部発振信号切替回路４は、周波数分周器３からＮ分周後の局部発振信号Ａ’（周波数ｆBの信号が含まれていない周波数ｆOの局部発振信号Ａ’）を受けると、その局部発振信号Ａ’を送信用局部発振信号として９０度分配器５に出力する。
また、局部発振信号入力端子２から入力された周波数ｆBの局部発振信号Ｂを受信用局部発振信号として９０度分配器６に出力する。
なお、局部発振信号切替回路４から９０度分配器５に出力されるＮ分周後の局部発振信号Ａ’には、周波数ｆBの信号が含まれていないので、周波数分割復信を実施する場合でも、送信用の直交変調器８への周波数ｆBの局部発振信号Ｂの漏洩がほとんどなくなる。
【００２１】
９０度分配器５は、局部発振信号切替回路４から送信用局部発振信号（周波数ｆOの局部発振信号Ａ’）を受けると、その送信用局部発振信号を９０度の位相差を有する信号（９０度位相差送信用局部発振信号）に変換し、その９０度位相差送信用局部発振信号を直交変調器８に出力する。
９０度分配器６は、局部発振信号切替回路４から受信用局部発振信号（周波数ｆBの局部発振信号Ｂ）を受けると、その受信用局部発振信号を９０度の位相差を有する信号に変換し（９０度位相差受信用局部発振信号）、その９０度位相差受信用局部発振信号を直交復調器１１に出力する。
【００２２】
直交変調器８は、９０度分配器５から９０度位相差送信用局部発振信号（周波数ｆOの局部発振信号Ａ’）を受けると、その９０度位相差送信用局部発振信号を用いて、ベースバンド信号入力端子７ａ，７ｂから入力された９０度の位相差を有するベースバンド信号を高周波送信信号に直交変調し、その高周波送信信号を高周波送信信号出力端子９に出力する。
直交復調器１１は、９０度分配器６から９０度位相差受信用局部発振信号（周波数ｆBの局部発振信号Ｂ）を受けると、その９０度位相差受信用局部発振信号を用いて、高周波受信信号入力端子１０より入力された高周波受信信号から９０度の位相差を有するベースバンド信号を直交復調し、９０度の位相差を有するベースバンド信号をベースバンド信号出力端子１２ａ，１２ｂに出力する。
【００２３】
以上で明らかなように、この実施の形態１によれば、局部発振信号Ａの周波数を２以上の分周数で分周する周波数分周器３と、周波数分割復信を実施する場合、周波数分周器３により分周された局部発振信号Ａ’を送信用局部発振信号として出力するとともに、局部発振信号Ｂを受信用局部発振信号として出力する局部発振信号切替回路４とを設け、直交変調器８が局部発振信号切替回路４から出力された送信用局部発振信号を用いて、ベースバンド信号を高周波送信信号に直交変調し、直交復調器１１が局部発振信号切替回路４から出力された受信用局部発振信号を用いて、高周波受信信号からベースバンド信号を直交復調するように構成したので、周波数分割復信を実施する場合でも、送信用の直交変調器８への受信用局部発振信号の漏洩を抑圧して、受信特性の劣化を防止することができる効果を奏する。
【００２４】
なお、図１には図示していないが、局部発振信号入力端子２と局部発振信号切替回路４の間に、局部発振信号Ｂの周波数を分周する受信用の周波数分周器を設けるようにしてもよい。
また、局部発振信号切替回路４と９０度分配器６の間に、受信用局部発振信号の周波数を分周する受信用の周波数分周器を設けるようにしてもよい。
また、９０度分配器６の代わりに、受信用局部発振信号の周波数を分周する機能を有する周波数分周型９０度分配器を実装するようにしてもよい。
【００２５】
実施の形態２．
図２はこの発明の実施の形態２による送受信機を示す構成図であり、図において、図１と同一符号は同一または相当部分を示すので説明を省略する。
局部発振信号切替回路２１は時分割復信を実施する場合、局部発振信号入力端子１から入力された局部発振信号Ａ（または、局部発振信号入力端子２から入力された局部発振信号Ｂ）を送信用局部発振信号として周波数分周器２２に出力するとともに、その送信用局部発振信号と同一の局部発振信号Ａ（または、局部発振信号Ｂ）を受信用局部発振信号として９０度分配器６に出力する。また、周波数分割復信を実施する場合、局部発振信号入力端子１から入力された局部発振信号Ａを送信用局部発振信号として周波数分周器２２に出力するとともに、局部発振信号入力端子２から入力された局部発振信号Ｂを受信用局部発振信号として９０度分配器６に出力する。
周波数分周器２２は局部発振信号切替回路２１から出力された送信用局部発振信号の周波数をＮ分周し、Ｎ分周後の送信用局部発振信号を９０度分配器５に出力する。ただし、Ｎは分周数であり、Ｎは２以上の値である。
【００２６】
次に動作について説明する。
最初に、送受信機が時分割復信を実施する場合について説明する。
局部発振信号切替回路２１は、局部発振信号入力端子１から周波数ｆAの局部発振信号Ａが入力されると、その局部発振信号Ａを送信用局部発振信号として周波数分周器２２に出力するとともに、その局部発振信号Ａを受信用局部発振信号として９０度分配器６に出力する。
なお、局部発振信号切替回路２１は、局部発振信号Ｂを送信用局部発振信号として周波数分周器２２に出力するようにしてもよく、この場合には、その局部発振信号Ｂを受信用局部発振信号として９０度分配器６に出力するようにする。
【００２７】
周波数分周器２２は、局部発振信号切替回路２１から送信用局部発振信号（周波数ｆAの局部発振信号Ａ）を受けると、図１の周波数分周器３と同様に、その送信用局部発振信号の周波数をＮ分周し、Ｎ分周後の送信用局部発振信号を９０度分配器５に出力する。
なお、周波数分周器２２から出力される信号には、分周数Ｎが２以上であるため、周波数ｆBの信号が含まれない。
【００２８】
９０度分配器５は、周波数分周器２２から送信用局部発振信号を受けると、その送信用局部発振信号を９０度の位相差を有する信号（９０度位相差送信用局部発振信号）に変換し、その９０度位相差送信用局部発振信号を直交変調器８に出力する。
９０度分配器６は、局部発振信号切替回路２１から受信用局部発振信号を受けると、その受信用局部発振信号を９０度の位相差を有する信号（９０度位相差受信用局部発振信号）に変換し、その９０度位相差受信用局部発振信号を直交復調器１１に出力する。
【００２９】
直交変調器８は、９０度分配器５から９０度位相差送信用局部発振信号を受けると、その９０度位相差送信用局部発振信号を用いて、ベースバンド信号入力端子７ａ，７ｂから入力された９０度の位相差を有するベースバンド信号を高周波送信信号に直交変調し、その高周波送信信号を高周波送信信号出力端子９に出力する。
直交復調器１１は、９０度分配器６から９０度位相差受信用局部発振信号を受けると、その９０度位相差受信用局部発振信号を用いて、高周波受信信号入力端子１０より入力された高周波受信信号から９０度の位相差を有するベースバンド信号を直交復調し、９０度の位相差を有するベースバンド信号をベースバンド信号出力端子１２ａ，１２ｂに出力する。
【００３０】
次に、周波数分割復信を実施する場合について説明する。
局部発振信号切替回路２１は、局部発振信号入力端子１から周波数ｆAの局部発振信号Ａが入力されると、その局部発振信号Ａを送信用局部発振信号として周波数分周器２２に出力する。
また、局部発振信号入力端子２から入力された周波数ｆBの局部発振信号Ｂを受信用局部発振信号として９０度分配器６に出力する。
【００３１】
周波数分周器２２は、局部発振信号切替回路２１から送信用局部発振信号（周波数ｆAの局部発振信号Ａ）を受けると、図１の周波数分周器３と同様に、その送信用局部発振信号の周波数をＮ分周し、Ｎ分周後の送信用局部発振信号（周波数ｆOの局部発振信号Ａ’）を９０度分配器５に出力する。
なお、周波数分周器２２から出力される信号には、分周数Ｎが２以上であるため、周波数ｆBの信号が含まれていない。
したがって、周波数分割復信を実施する場合でも、送信用の直交変調器８への周波数ｆBの局部発振信号Ｂの漏洩がほとんどなくなる。
【００３２】
９０度分配器５は、周波数分周器２２から送信用局部発振信号（周波数ｆOの局部発振信号Ａ’）を受けると、その送信用局部発振信号を９０度の位相差を有する信号（９０度位相差送信用局部発振信号）に変換し、その９０度位相差送信用局部発振信号を直交変調器８に出力する。
９０度分配器６は、局部発振信号切替回路２１から受信用局部発振信号（周波数ｆBの局部発振信号Ｂ）を受けると、その受信用局部発振信号を９０度の位相差を有する信号（９０度位相差受信用局部発振信号）に変換し、その９０度位相差受信用局部発振信号を直交復調器１１に出力する。
【００３３】
直交変調器８は、９０度分配器５から９０度位相差送信用局部発振信号を受けると、その９０度位相差送信用局部発振信号を用いて、ベースバンド信号入力端子７ａ，７ｂから入力された９０度の位相差を有するベースバンド信号を高周波送信信号に直交変調し、その高周波送信信号を高周波送信信号出力端子９に出力する。
直交復調器１１は、９０度分配器６から９０度位相差受信用局部発振信号を受けると、その９０度位相差受信用局部発振信号を用いて、高周波受信信号入力端子１０より入力された高周波受信信号から９０度の位相差を有するベースバンド信号を直交復調し、９０度の位相差を有するベースバンド信号をベースバンド信号出力端子１２ａ，１２ｂに出力する。
【００３４】
以上で明らかなように、この実施の形態２によれば、周波数分割復信を実施する場合、局部発振信号入力端子１から入力された周波数ｆAの局部発振信号Ａを送信用局部発振信号として出力するとともに、局部発振信号入力端子２から入力された周波数ｆBの局部発振信号Ｂを受信用局部発振信号として出力する局部発振信号切替回路２１と、局部発振信号切替回路２１から出力された送信用局部発振信号の周波数をＮ分周し、Ｎ分周後の送信用局部発振信号を出力する周波数分周器２２とを設け、直交変調器８が周波数分周器２２から出力された送信用局部発振信号を用いて、ベースバンド信号を高周波送信信号に直交変調し、直交復調器１１が局部発振信号切替回路２１から出力された受信用局部発振信号を用いて、高周波受信信号からベースバンド信号を直交復調するように構成したので、周波数分割復信を実施する場合でも、送信用の直交変調器８への受信用局部発振信号の漏洩を抑圧して、受信特性の劣化を防止することができる効果を奏する。
【００３５】
なお、図２には図示していないが、局部発振信号入力端子２と局部発振信号切替回路２１の間に、局部発振信号Ｂの周波数を分周する受信用の周波数分周器を設けるようにしてもよい。
また、局部発振信号切替回路２１と９０度分配器６の間に、受信用局部発振信号の周波数を分周する受信用の周波数分周器を設けるようにしてもよい。
また、９０度分配器６の代わりに、受信用局部発振信号の周波数を分周する機能を有する周波数分周型９０度分配器を実装するようにしてもよい。
【００３６】
実施の形態３．
図３はこの発明の実施の形態３による送受信機を示す構成図であり、図において、図２と同一符号は同一または相当部分を示すので説明を省略する。
周波数分周型９０度分配器３１は局部発振信号切替回路２１から出力された送信用局部発振信号の周波数をＮ分周して、Ｎ分周後の送信用局部発振信号を９０度の位相差を有する信号（９０度位相差送信用局部発振信号）に変換し、その９０度位相差送信用局部発振信号を直交変調器８に出力する。ただし、Ｎは分周数であり、Ｎは２以上の値である。
【００３７】
上記実施の形態２では、９０度分配器５の前段に周波数分周器２２が実装されているものについて示したが、９０度分配器５の代わりに、周波数分周器２２と同じ機能と、９０度分配器５と同じ機能を有する周波数分周型９０度分配器３１が実装されているようにしてもよい。
即ち、周波数分周型９０度分配器３１は、局部発振信号切替回路２１から送信用局部発振信号を受けると、図２の周波数分周器２２と同様に、その送信用局部発振信号の周波数をＮ分周する。
また、周波数分周型９０度分配器３１は、図２の９０度分配器５と同様に、Ｎ分周後の送信用局部発振信号を９０度の位相差を有する信号（９０度位相差送信用局部発振信号）に変換し、その９０度位相差送信用局部発振信号を直交変調器８に出力する。
【００３８】
この実施の形態３の場合も、上記実施の形態２と同様に、周波数分割復信を実施する場合でも、送信用の直交変調器８への受信用局部発振信号の漏洩を抑圧して、受信特性の劣化を防止することができる効果を奏する。
【００３９】
なお、図３には図示していないが、局部発振信号入力端子２と局部発振信号切替回路２１の間に、局部発振信号Ｂの周波数を分周する受信用の周波数分周器を設けるようにしてもよい。
また、局部発振信号切替回路２１と９０度分配器６の間に、受信用局部発振信号の周波数を分周する受信用の周波数分周器を設けるようにしてもよい。
また、９０度分配器６の代わりに、受信用局部発振信号の周波数を分周する機能を有する周波数分周型９０度分配器を実装するようにしてもよい。
【００４０】
実施の形態４．
図４はこの発明の実施の形態４による送受信機を示す構成図であり、図において、図１と同一符号は同一または相当部分を示すので説明を省略する。
直交復調器４１は局部発振信号Ａと異なる周波数ｆBの受信用局部発振信号を用いて、高周波受信信号をベースバンド信号に直交復調する。
【００４１】
上記実施の形態１〜３では、直交復調器１１が局部発振信号切替回路４，２１を介して、受信用局部発振信号の供給を受けるものについて示したが、局部発振信号切替回路４，２１を介さずに、局部発振信号Ａと異なる周波数ｆBの受信用局部発振信号の供給を受けるようにしてもよい。
この場合も、上記実施の形態１〜３と同様の効果を奏することができる。
【００４２】
実施の形態５．
上記実施の形態１〜４では、特に言及していないが、図１〜図４における送受信機の各構成要素を単一の集積回路で構成するようにしてもよいし、複数の集積回路で構成するようにしてもよい。複数の集積回路で構成する場合には、単一の素子として封止するようにする。また、図１〜図４における送受信機の各構成要素を単一の集積回路で構成するようにして、その集積回路を単一の基板上に実装するようにしてもよい。
従来の送受信機の構成を用いて周波数分割復信を実施する場合において、送受信機の各構成要素を単一の集積回路や単一の素子および単一の基板上に実装した場合には送信用の直交変調器への受信用局部発振信号の漏洩により受信特性が劣化するが、上記実施の形態１〜４において送受信機の各構成要素を単一の集積回路や単一の素子および単一の基板上に実装した場合には、周波数分割復信を実施する場合において、送信用の直交変調器８への受信用局部発振信号の漏洩を抑圧して、受信特性の劣化を防止することができる効果を奏する。
【図面の簡単な説明】
【００４３】
【図１】この発明の実施の形態１による送受信機を示す構成図である。
【図２】この発明の実施の形態２による送受信機を示す構成図である。
【図３】この発明の実施の形態３による送受信機を示す構成図である。
【図４】この発明の実施の形態４による送受信機を示す構成図である。
【符号の説明】
【００４４】
１，２  局部発振信号入力端子、３，２２  周波数分周器、４，２１  局部発振信号切替回路、５  ９０度分配器（第１の９０度分配器）、６  ９０度分配器（第２の９０度分配器）、７ａ，７ｂ  ベースバンド信号入力端子、８  直交変調器（変調器）、９  高周波送信信号出力端子、１０  高周波受信信号入力端子、１１  直交復調器（復調器）、１２ａ，１２ｂ  ベースバンド信号出力端子、３１  周波数分周型９０度分配器、４１  直交復調器。
【図１】
0005068115.tif 000002
【図２】
0005068115.tif 000003
【図３】
0005068115.tif 000004
【図４】
0005068115.tif 000005